(57)【要約】【課題】無駄なスペースを省くとともに、従来の物干し用ハンガーよりも多量の洗濯物を干すことができる物干し用ハンガーを提供する。【解決手段】物干し用ハンガー１００は、メインフレーム１１０と、メインフレーム１１０の一外周辺に対して、当該一外周辺の回りに回転可能に取り付けられた補助フレーム１２０と、メインフレーム１１０を吊り下げる吊り下げ部材１３０と、からなる。補助フレーム１２０は、メインフレーム１１０上に重なる第一位置と、メインフレーム１１０と同一平面内に位置する第二位置との間を回転可能である。【選択図】図１
0003123839.tif 000002
【実用新案登録請求の範囲】
【請求項１】
相互に対向する一対の第一の外周辺と相互に対向する一対の第二の外周辺とを有するメインフレームと、
前記一対の第一の外周辺の少なくとも何れか一方に対して、前記第一の外周辺が延びる方向の回りに回転可能に前記第一の外周辺に取り付けられた補助フレームと、
前記メインフレームを吊り下げる吊り下げ部材と、
からなり、
前記メインフレームの内部には、前記一対の第二の外周辺の間において前記第一の外周辺と平行に延びる少なくとも一つの部材及び前記第一の外周辺と直角に前記一対の第一の外周辺の間を延びる少なくとも一つの部材の少なくとも何れか一方が形成されており、
前記補助フレームの内部には、前記第一の外周辺と平行に延びる少なくとも一つの部材及び前記第一の外周辺と直角に延びる少なくとも一つの部材の少なくとも何れか一方が形成されており、
前記補助フレームは、前記メインフレーム上に重なる第一位置と、前記メインフレームと同一平面内に位置する第二位置との間を回転可能である物干し用ハンガー。
【請求項２】
前記吊り下げ部材は、
ベース部材と、
前記ベース部材に取り付けられたフック部材と、
前記ベース部材に対して同一平面内において回動可能に取り付けられた一対の支持バーと、
からなり、
前記支持バーの各々には前記支持バーの長さ方向に沿って複数個の孔または凸部の何れか一方が形成されており、
前記メインフレームには、前記一対の第二の外周辺において、前記孔に係合する凸部または前記凹部に係合する凸部の何れか一方が形成されていることを特徴とする請求項１に記載の物干し用ハンガー。
【考案の詳細な説明】
【技術分野】
【０００１】
本考案は洗濯物を干す際に使用する物干し用ハンガーに関する。
【背景技術】
【０００２】
従来の物干し用ハンガーの一例として、実開平４−１３０７８７号公報に記載された物干し用ハンガーを図３に示す。
【０００３】
図３に示す従来の物干し用ハンガー１０は、相互に対向する一対の枠部１１と相互に対向する一対の枠部１２とからなり、これらの枠部１１、１２により囲まれた空所を有する囲み枠１３と、枠部１１、１２の各々に、外側に反転可能に取り付けられ、内側に反転させたときに、囲み枠１３内の空所を埋める複数の反転アーム１５、１６と、反転アーム１５、１６の回動と干渉しない位置において囲み枠１３に取り付けられた一対の吊り下げ手段１７と、囲み枠１３を吊り下げるためのフック１９を有する吊り下げ具２０と、から構成されている。
【０００４】
従来の物干し用ハンガー１０は以下のようにして使用される。
【０００５】
まず、吊り下げ手段１７を吊り下げ具２０に引っ掛け、吊り下げ具２０のフック１９を敷居その他の適当な位置に引っ掛ける。
【０００６】
反転アーム１５、１６は、非使用時には、囲み枠１３の内部に収納されている。
【０００７】
使用時には、図３に示すように、反転アーム１５、１６を囲み枠１３の外側に反転させる。
【０００８】
これにより、反転アーム１５、１６の各々に洗濯物を干すことが可能になる。
【考案の開示】
【考案が解決しようとする課題】
【０００９】
図３に示した従来の物干し用ハンガー１０においては、洗濯物は反転アーム１５、１６にのみ干される。このため、洗濯物が多量にある場合には、反転アーム１５、１６だけでは足りなくなるという問題点があった。
【００１０】
さらに、反転アーム１５、１６の使用時には、反転アーム１５、１６を囲み枠１３の内側から外側に反転させて使用するため、囲み枠１３の内部の空所が無駄なスペースとして残ってしまうという問題点もあった。
【００１１】
また、従来の物干し用ハンガー１０においては、囲み枠１３は吊り下げ手段１７及び吊り下げ具２０を介して吊り下げられる。このため、囲み枠１３は一定の高さにおいてしか吊り下げることができず、使用環境によっては、物干し用ハンガー１０の使用に支障をきたすことがあった。
【００１２】
本考案はこのような従来の物干し用ハンガー１０における問題点に鑑みてなされたものであり、無駄なスペースを省くとともに、従来の物干し用ハンガーよりも多量の洗濯物を干すことを可能にし、かつ、物干し用ハンガーをユーザーの所望の高さに吊り下げることを可能にする物干し用ハンガーを提供することを目的とする。
【課題を解決するための手段】
【００１３】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１４】
上記の目的を達成するため、本考案に係る第一の形態の物干し用ハンガー（１００）は、相互に対向する一対の第一の外周辺（１０１）と相互に対向する一対の第二の外周辺（１０２）とを有するメインフレーム（１１０）と、前記一対の第一の外周辺（１０１）の少なくとも何れか一方に対して、前記第一の外周辺（１０１）が延びる方向の回りに回転可能に前記第一の外周辺（１０１）に取り付けられた補助フレーム（１２０）と、前記メインフレーム（１１０）を吊り下げる吊り下げ部材（１３０、２３０）と、からなり、前記メインフレーム（１１０）の内部には、前記一対の第二の外周辺（１０２）の間において前記第一の外周辺（１０１）と平行に延びる少なくとも一つの部材及び前記第一の外周辺（１０１）と直角に前記一対の第一の外周辺（１０１）の間を延びる少なくとも一つの部材（１０３）の少なくとも何れか一方が形成されており、前記補助フレーム（１２０）の内部には、前記第一の外周辺（１０１）と平行に延びる少なくとも一つの部材（１２１）及び前記第一の外周辺（１０１）と直角に延びる少なくとも一つの部材の少なくとも何れか一方が形成されており、前記補助フレーム（１２０）は、前記メインフレーム（１１０）上に重なる第一位置と、前記メインフレーム（１１０）と同一平面内に位置する第二位置との間を回転可能であるように構成されている。
【００１５】
また、本考案に係る第二の形態の物干し用ハンガー（２００）においては、前記吊り下げ部材（２３０）は、ベース部材（２３１）と、前記ベース部材（２３１）に取り付けられたフック部材（２３２）と、前記ベース部材（２３１）に対して同一平面内において回動可能に取り付けられた一対の支持バー（２３３）と、からなり、前記支持バー（２３３）の各々には前記支持バー（２３３）の長さ方向に沿って複数個の孔（２３４）または凸部の何れか一方が形成されており、前記メインフレーム（１１０）には、前記一対の第二の外周辺（１０２）において、前記孔（２３４）に係合する凸部（２４０）または前記凹部に係合する凸部の何れか一方が形成されている。
【考案の効果】
【００１６】
図３に示した従来の物干し用ハンガーにおいては、反転アーム１５、１６を外側に反転させた場合のみ、反転アーム１５、１６に洗濯物を干すことができ、この場合、囲み枠１３の内部は無駄なスペースとして残ってしまっていた。これに対して、本考案に係る第一の形態の物干し用ハンガーによれば、補助フレームを第二位置に回動させた場合、メインフレームと補助フレームの双方に洗濯物を干すことができる。このように、本考案に係る第一の形態の物干し用ハンガーにおいては、メインフレームと補助フレームの何れもが洗濯物を干すために使用することができ、従来の物干し用ハンガーと比較して、無駄なスペースをつくることなく、従来の物干し用ハンガーよりも多量の洗濯物を干すことが可能になる。
【００１７】
さらに、本考案に係る第二の形態の物干し用ハンガーによれば、物干し用ハンガーをユーザーの所望の高さに吊り下げることができる。このため、物干し用ハンガーの使用環境に応じて、物干し用ハンガーを吊り下げる高さを決めることができ、高さが低いスペースしかないような場合であっても、物干し用ハンガーを使用することが可能になる。
【考案を実施するための最良の形態】
【００１８】
（第一の実施形態）
図１は、本考案の第一の実施形態に係る物干し用ハンガー１００の斜視図である。
【００１９】
本実施形態に係る物干し用ハンガー１００は、メインフレーム１１０と、４個の補助フレーム１２０と、吊り下げ部材１３０と、から構成されている。
【００２０】
メインフレーム１１０は樹脂製であり、相互に対向する一対の第一の外周辺１０１と、相互に対向し、かつ、第一の外周辺１０１にそれぞれ直交する一対の第二の外周辺１０２と、を有する矩形形状をなしている。
【００２１】
メインフレーム１１０の内部には、一対の第一の外周辺１０１の間において第二の外周辺１０２と平行に延びる６個のビーム部材１０３が形成されている。
【００２２】
４個の補助フレーム１２０は樹脂製であり、いずれも矩形形状をなしている。４個の補助フレーム１２０の各々は、その一辺において、メインフレーム１１０の第一の外周辺１０１に対して、第一の外周辺１０１の軸線（第一の外周辺１０１が延びる方向）の回りに回転可能に第一の外周辺１０１に取り付けられている。
【００２３】
補助フレーム１２０の各々は、第一の外周辺１０１の軸線を中心として、メインフレーム１１０上に重なる第一位置と、メインフレーム１１０と同一平面内に位置する第二位置（図１に示す位置）との間を回転可能である。
【００２４】
図１に示すように、一対の第一の外周辺１０１の各々に対して、２個ずつの補助フレーム１２０が並列に取り付けられている。
【００２５】
補助フレーム１２０の各々の内部には、メインフレーム１１０の第一の外周辺１０１と平行に延びる３個のビーム部材１２１が形成されている。
【００２６】
吊り下げ部材１３０は、メインフレーム１１０の第二の外周辺１０２の両端にそれぞれ取り付けられた鎖止め部材１３１と、一つのフック部材１３２と、一端が鎖止め部材１３１に、他端がフック部材１３２に取り付けられた鎖部材１３３と、から構成されている。
【００２７】
本実施形態に係る物干し用ハンガー１００は以下のようにして使用される。
【００２８】
非使用時においては、各補助フレーム１２０は第一位置にある。すなわち、各補助フレーム１２０はメインフレーム１１０上に重なっている。
【００２９】
まず、二つのフック部材１３２を適当な場所に引っ掛け、物干し用ハンガー１００を吊り下げる。
【００３０】
次いで、第一位置にある各補助フレーム１２０を第二位置に回転させる。これにより、物干し用ハンガー１００は図１に示す状態になる。
【００３１】
この後、メインフレーム１１０及び補助フレーム１２０の各々のビーム部材１０３、１２１に洗濯物を干すことができる。
【００３２】
非使用時には、第二位置にある各補助フレーム１２０を第一位置に回転させ、フック部材１３２を取り外す。
【００３３】
図３に示した従来の物干し用ハンガーにおいては、反転アーム１５、１６を外側に反転させた場合のみ、反転アーム１５、１６に洗濯物を干すことができ、この場合、囲み枠１３の内部は無駄なスペースとして残ってしまっていた。
【００３４】
これに対して、本実施形態に係る物干し用ハンガー１００によれば、各補助フレーム１２０を第二位置に回転させることにより、メインフレーム１１０と補助フレーム１２０の双方に洗濯物を干すことができる。このように、本実施形態に係る物干し用ハンガー１００においては、メインフレーム１１０と補助フレーム１２０の双方を洗濯物を干すために使用することができ、従来の物干し用ハンガーと比較して、無駄なスペースをつくることなく、従来の物干し用ハンガーよりも多量の洗濯物を干すことが可能になる。
【００３５】
さらに、非使用時には、各補助フレーム１２０を第一位置に回転させることにより、物干し用ハンガー１００全体の大きさを小さくすることができ、収容のためのスペースを小さくすることができる。
【００３６】
なお、本実施形態に係る物干し用ハンガー１００の構造は上述の構造に限定されるものではなく、種々の変更が可能である。
【００３７】
本実施形態に係る物干し用ハンガー１００においては、メインフレーム１１０は矩形形状であるが、相互に対向する一対の第一の外周辺１０１と相互に対向する一対の第二の外周辺１０２とを有するものである限り、メインフレーム１１０は任意の形状を取ることが可能である。
【００３８】
また、本実施形態に係る物干し用ハンガー１００は４個の補助フレーム１２０を有するものとして構成されているが、補助フレーム１２０の数は４には限定されない。例えば、第一の外周辺１０１に１個または３個以上の補助フレーム１２０を取り付けることも可能である。
【００３９】
さらに、一対の第一の外周辺１０１の各々に同数の補助フレーム１２０を取り付けることも必ずしも必要ではない。第一の外周辺１０１の一方に取り付ける補助フレーム１２０の数と第一の外周辺１０１の他方に取り付ける補助フレーム１２０の数とが異なっていてもよい。例えば、第一の外周辺１０１の一方には２個の補助フレーム１２０を取り付け、第一の外周辺１０１の他方には１個の補助フレーム１２０を取り付けることも可能である。
【００４０】
さらに、メインフレーム１１０の内部に形成されているビーム部材１３０は一対の第二の外周辺１０２の間において第一の外周辺１０１と平行に延びるものとして形成することも可能であり、あるいは、一対の第二の外周辺１０２の間において第一の外周辺１０１と平行に延びるビーム部材と一対の第一の外周辺１０１の間において第二の外周辺１０２と平行に延びるビーム部材との双方を形成することも可能である。
【００４１】
同様に、各補助フレーム１２０の内部に形成されているビーム部材１２１は第二の外周辺１０２に平行なビーム部材として形成することも可能であり、あるいは、第一の外周辺１０１に平行なビーム部材及び第二の外周辺１０２に平行なビーム部材の双方として形成することも可能である。
【００４２】
（第二の実施形態）
図２は、本考案の第二の実施形態に係る物干し用ハンガー２００の斜視図である。
【００４３】
本実施形態に係る物干し用ハンガー２００は、第一の実施形態に係る物干し用ハンガー１００における吊り下げ部材１３０に代えて、吊り下げ部材２３０を備えている。吊り下げ部材１３０に代えて吊り下げ部材２３０を備えている点を除いて、本実施形態に係る物干し用ハンガー２００は第一の実施形態に係る物干し用ハンガー１００と同一の構造を有している。
【００４４】
本実施形態における吊り下げ部材２３０は、円筒形状に近い形状をなしたベース部材２３１と、ベース部材２３１に取り付けられ、ベース部材２３１から上方に突出しているフック部材２３２と、ベース部材２３１に対して同一平面内において回動可能にベース部材２３１に取り付けられた一対の支持バー２３３と、から構成されている。
【００４５】
メインフレーム１１０の一対の第二の外周辺１０２の各々には、外側に向かって水平方向に突出する凸部２４０が形成されている。
【００４６】
凸部２４０は、第二の外周辺１０２の表面から突出し、第一の直径を有する円筒形状の第一部分と、第一部分の先端と連続して形成され、第一部分の直径よりも大きい直径を有する第二部分と、から形成されている。
【００４７】
支持バー２３３の各々には、その長さ方向に沿って等間隔に複数個の長孔２３４が形成されている。長孔２３４は、凸部２４０の第二部分の直径よりも大きい直径を有する円孔部分２３４ａと、円孔部分２３４ａと連続し、凸部２４０の第一部分の直径と等しい幅を有するスリット部分２３４ｂとからなる。
【００４８】
本実施形態に係る物干し用ハンガー２００は以下のようにして使用される。
【００４９】
まず、物干し用ハンガー２００を吊り下げる高さに応じて、支持バー２３３に形成されている複数の長孔２３４の一つを選択する。
【００５０】
次いで、選択した長孔２３４の円孔部分２３４ａに凸部２４０の第二部分を通過させ、長孔２３４のスリット部分２３４ｂに沿って凸部２４０の第一部分をスリット部分２３４ｂの端部までスライドさせる。
【００５１】
他の支持バー２３３に対しても、同様に、凸部２４０を長孔２３４に嵌合させる。
【００５２】
これにより、凸部２４０が長孔２３４に対して固定される。すなわち、支持バー２３３が第二の外周辺１０２に対して固定される。
【００５３】
次いで、二つのフック部材２３２を適当な場所に引っ掛け、本実施形態に係る物干し用ハンガー２００を吊り下げる。この状態においては、物干し用ハンガー２００はユーザーの所望の高さに吊り下げられている。このため、ユーザーは楽な姿勢でメインフレーム１１０及び補助フレーム１２０の各々に洗濯物を干すことができる。
【００５４】
なお、本実施形態に係る物干し用ハンガー２００の構造は上述の構造に限定されるものではなく、種々の変更が可能である。
【００５５】
例えば、本実施形態に係る物干し用ハンガー２００においては、第二の外周辺１０２に凸部２４０を、支持バー２３３に長孔２３４を設けたが、それとは逆に、第二の外周辺１０２に凹部を形成し、支持バー２３３にはその凹部に嵌合する複数の凸部を形成することも可能である。
【図面の簡単な説明】
【００５６】
【図１】本考案の第一の実施形態に係る物干し用ハンガーの斜視図である。
【図２】本考案の第二の実施形態に係る物干し用ハンガーの斜視図である。
【図３】従来の物干し用ハンガーの斜視図である。
【符号の説明】
【００５７】
１００  第一の実施形態に係る物干し用ハンガー
１１０  メインフレーム
１２０  補助フレーム
１３０  吊り下げ部材
１０１  第一の外周辺
１０２  第二の外周辺
１０３  ビーム部材
１２１  ビーム部材
１３１  鎖止め部材
１３２  フック部材
１３３  鎖部材
２００  第二の実施形態に係る物干し用ハンガー
２３０  吊り下げ部材
２３１  ベース部材
２３２  フック部材
２３３  支持バー
２３４  長孔
２３４ａ  円孔部分
２３４ｂ  スリット部分
２４０  凸部
【図１】
0003123839.tif 000003
【図２】
0003123839.tif 000004
【図３】
0003123839.tif 000005